(57)【要約】【課題】  裏ページが白紙である印刷物を両面原稿としてセキュアモードでスキャンすると、白紙ページがQRコード無しとみなされるためジョブキャンセルされてしまう。【解決手段】  片面に複製許可コードが印刷される設定が行われており、かつ、もう一方の面が白紙ページである場合に、前記片面に印刷するコードを両面複製許可コードにすることと、両面原稿をスキャンし、片面に両面複製許可コードを検出した（Ｓ１１３でＹＥＳ）場合に、もう一方の面にコードがなくても複製処理を中断しないこと（Ｓ１１４）、を特徴とする画像形成装置。【選択図】  図２
2013143707.tif 000002
【特許請求の範囲】
【請求項１】
片面に複製許可コードが印刷される設定が行われており、かつ、もう一方の面が白紙ページである場合に、前記片面に印刷するコードを両面複製許可コードにすることと、
両面原稿をスキャンし、片面に両面複製許可コードを検出した（Ｓ１１３でＹＥＳ）場合に、もう一方の面にコードがなくても複製処理を中断しないこと（Ｓ１１４）、
を特徴とする画像形成装置。
【発明の詳細な説明】
【技術分野】
【０００１】
本発明は画像形成装置におけるＱＲコード（登録商標）を用いたジョブロック機能に関する。
【背景技術】
【０００２】
画像形成装置におけるＱＲコードを用いたジョブロック機能は、印刷後の複写・スキャンを禁止する文書の印刷を行う際に、複写・スキャンを禁止する情報をコード画像化して各ページに埋め込み、その印刷物のスキャン時に禁止QRコードを検出しジョブをキャンセルする機能である。（例えば、特許文献１参照。）。
【０００３】
同機能にはさらにセキュリティ制約の強いセキュアモードがあり、原稿にQRコードが付加されていない場合も、禁止QRコードが付いているのと同じ扱いとなり、ジョブがキャンセルされる。
【先行技術文献】
【特許文献】
【０００４】
【特許文献１】特開２００８−１８２５５２号公報
【発明の概要】
【発明が解決しようとする課題】
【０００５】
しかしながら従来技術では、裏ページが白紙である印刷物を両面原稿としてセキュアモードでスキャンすると、白紙ページがQRコード無しとみなされるためジョブキャンセルされてしまう。
【課題を解決するための手段】
【０００６】
片面に複製許可コードが印刷される設定が行われており、かつ、もう一方の面が白紙ページである場合に、前記片面に印刷するコードを両面複製許可コードにすることと、
両面原稿をスキャンし、片面に両面複製許可コードを検出した（Ｓ１１３でＹＥＳ）場合に、もう一方の面にコードがなくても複製処理を中断しないこと（Ｓ１１４）、
を特徴とする画像形成装置。
【発明の効果】
【０００７】
ジョブロック機能のセキュアモードでコピー・スキャンする際に、両面原稿の途中に白紙ページがあっても、ジョブキャンセルされることがなくなる。
【図面の簡単な説明】
【０００８】
【図１】本発明の画像処理装置を配した画像処理システムの構成の一例を示すブロック図
【図２】複合機の構成の一例を示すブロック図
【図３】両面原稿、セキュアモード時の複製処理動作の一例を示すフローチャート
【図４】画像形成装置の操作画面（コード埋め込み設定）を示す図
【発明を実施するための形態】
【０００９】
以下、本発明を実施するための最良の形態について図面を用いて説明する。
【００１０】
図１は、本発明の画像処理システムの構成の一例を示すブロック図である。
【００１１】
図１において、文書の印刷、印刷された紙文書のスキャン、複写を行う複合機２００と、文書の印刷処理を複合機２００に対して行うクライアント端末１００がネットワーク７を介して接続される。
【００１２】
クライアント端末１００は、文書データから印刷データを生成し複合機２００に送信する。この印刷データは、複合機２００で処理可能な描画命令の集まりであり、例えばＰＤＬである。クライアント端末１００で印刷データを生成・送信する際、複合機２００での印刷を片面・両面のいずれで行うか、など各種の印刷設定の情報も印刷データに付加して、複合機２００に送信する。
【００１３】
複合機２００は、クライアント端末１００から受けた印刷処理において、後述する「コード埋め込み設定」が複製許可である場合は、印刷ページに描画する文書のページ画像に、複製処理を許可する場合の複製許可コードを所定のドットパターンの画像を所定配列にて描画することによりコード化して埋め込む。
【００１４】
ここで、クライアント端末１００から受けた印刷処理が両面印刷の場合、裏面が白紙であるページには両面の複製処理を許可する両面複製許可コードを所定のドットパターンの画像を所定配列にて描画することによりコード化して埋め込む。
【００１５】
複合機２００は、コード埋め込み文書の複写、スキャン操作に対し、複製する文書の読取画像データの解析にて、埋め込まれたコードの復号処理を行い複製処理の可否を決定する。
【００１６】
次に、図１に示した複合機２００の構成例を図２のブロック図に示して説明する。
【００１７】
複合機２００は、プログラムをCPUが実行することにより複合機２００全体を制御する主制御部２４０に、画像読取部２３０、画像処理部２５０、画像形成部２２０、LAN接続ボード等の回線終端装置にて実現される通信部２１０が接続された構成を有する。
【００１８】
主制御部２４０は、コード画像復号処理部２４１、コード画像印刷処理部２４２、処理実機可否判定部２４３を有する。
【００１９】
コード画像印刷処理部２４２は、通信部２１０を介してクライアント端末１００から受信した印刷指示に基づいて複製禁止、複製許可、あるいは両面複製許可のコード画像を画像形成部２２０に出力することにより、印刷ページごとの文書画像を用紙に印刷するための印刷制御を行う。
【００２０】
コード画像復号処理部２４１は、コード埋め込み文書に対する文書の複製処理を行った場合に置いて、画像読取部２３０にて読み取られた読取画像データに対して、コード画像に埋め込まれた符号化情報の復号処理を行う。
【００２１】
処理実施可否判定部２４３は、操作表示部２６０におけるユーザの紙文書の複製開始操作を検出し、複製を行う紙文書の画像を画像読取部２３０にて読み取るための画像読取制御を行い、読み取った画像データを読取画像データとして一時保存し、動作モードの設定によりコード画像の検出処理によって復号される符号化情報の抽出処理をコード画像復号処理部２４１に指示する。
【００２２】
画像処理部２５０は、ユーザが指定した読取条件に基づいて画像読取部２３０にて読み取られた紙文書の読取画像データに対する色変換、解像度変換等の画像処理を行う。
【００２３】
次に、図４を用いて複合機２００の「コード埋め込み設定」設定画面について説明を行う。
【００２４】
図４は実施例を実施するための設定画面を示している。図４の画面ではユーザがコード埋め込み設定を選択することが可能である。操作表示部２６０によって「＜コード埋め込み＞」が表示されている状態で「複製許可」８０２をユーザが選択すると、操作表示部２６０が選択を受け付け、主制御部２４０が複合機２００のコード埋め込み設定を「複製許可」に設定する。この場合、主制御部２４０は複合機２００での印刷処理時に複製許可のコード埋め込みをするよう制御する。
【００２５】
ユーザが「複製禁止」８０３を選択した場合は、主制御部２４０は複合機２００のコード埋め込み設定を「複製禁止」に設定する。この場合、主制御部２４０は複合機２００での印刷処理時に複製禁止のコード埋め込みをするよう制御する。
【００２６】
ユーザが「しない」８０１を選択した場合は、主制御部２４０は複合機２００のコード埋め込み設定を「しない」に設定する。この場合、主制御部２４０は複合機２００での印刷処理時にコード埋め込みをしない状態で動作するよう制御する。
【００２７】
次に、両面原稿をセキュアモードで複製する際の複合機２００の動作の流れを図３のフローチャートで示す。
【００２８】
処理実施可否判定部２４３は操作表示部２６０におけるユーザの紙文書の複製開始操作を検出すると、ステップＳ１０１において、複製を行う紙文書の画像読み取りを画像読取部２３０に指示する。
【００２９】
ステップＳ１０２において、処理実施可否判定部２４３は、画像読取部２３０により読み取られた読取画像データを解析しコード画像の検出を行う。
【００３０】
ステップＳ１０３において、両面ともに埋め込みコード画像が検出された場合、処理実施可否判定部２４３は、コード画像に埋め込まれた符号化情報の復号処理をコード画像復号処理部２４１に指示する（ステップＳ１０４）。
【００３１】
ステップＳ１０５において、ステップＳ１０４で復号された２つのコードのいずれもが複製禁止コードでない場合、複製処理を実施する（ステップＳ１０６）。
【００３２】
ステップＳ１０３、ステップＳ１１１において、片面だけに埋め込みコード画像が検出された場合、処理実施可否判定部２４３は、コード画像に埋め込まれた符号化情報の復号処理をコード画像復号処理部２４１に指示する（ステップＳ１１２）。
【００３３】
ステップＳ１１３において、ステップＳ１１２で復号されたコードが両面許可コードである場合、複製処理を実施する（ステップＳ１０６）。
【００３４】
ステップＳ１１３においてコードが両面許可コードでない場合、および、ステップＳ１１１において埋め込みコード画像が検出されなかった場合は、セキュアモードでの複製処理動作中であるため複製処理を終了する。
【符号の説明】
【００３５】
１００  クライアント端末
２００  複合機
７      ネットワーク
２１０  通信部
２２０  画像形成部
２３０  画像読取部
２４０  主制御部
２４１  コード画像復号処理部
２４２  コード画像印刷処理部
２４３  処理実施可否判定部
２５０  画像処理部
２６０  操作表示部
【図１】
2013143707.tif 000003
【図２】
2013143707.tif 000004
【図３】
2013143707.tif 000005
【図４】
2013143707.tif 000006